(57)【要約】【課題】  あたかも本棚の前に何も障害物がないかのごとく、手で本の出し入れが容易であり、本棚の中の本を簡単に見つけることができ、それでいて、本に埃がつかないよう、外の埃を含む空気から本が遮蔽された本棚を提供する。【解決手段】  本棚の前面にいくつにも縦に分割された透明カバーを設ける。【選択図】図２
2006231062.tif 000002
【特許請求の範囲】
【請求項１】
本棚の前面に取り付けるための、次の条件を満たす透明カバー、又は、次の条件を満たす透明カバーを前面に付けた本棚。手を差し入れたとき、縦方向に割れる切れ目があり、切れ目が１４ｃｍ以下の水平方向の間隔で繰り返されているカバー。
【請求項２】
カバーの上端から下端までの間で少なくとも２個所で切れ目がないか、または、少なくとも２箇所で切れ目が結合された状態となっていることを特徴とする請求項１に記載のカバー又は本棚。
【請求項３】
短くとも、カバー上端から１０ｃｍ下がった位置から下端まで切れており、上端から下端までの領域を高さにして１／３ずつ上、中、下と分けるとき、下の部位が、上、中の部位より平均して横幅１ｃｍあたり０．１ｇ以上重くなっていることを特徴とする請求項１に記載のカバー又は本棚。
【発明の詳細な説明】
【技術分野】
【０００１】  従来のタイプの本棚に収めた本には埃が少しずつではあるが蓄積していき、１週間もたつと埃が目につくようになる。本の埃は読書時手を汚し、不快感の原因となっている。本が持つ特殊な形のため布巾などで本の埃を簡単にきれいにふき取ることは容易でない。従って、本に埃がつきにくい本棚ができれば非常に好ましい。本発明は、本を入れておく棚において、本に埃がかからないような、それでいてそのために特別なわずらわしい操作を必要としない新しいタイプの本棚又はその備品に関するものである。
【背景技術】
【０００２】  通常の本棚は前面が開いており、本を各段の中に立てかけ並べる方式のものである。前面が開いているため、部屋の空気中に漂う埃が入り、本に埃がかぶり、次第に蓄積していく。本への埃の蓄積を抑制するために次のような工夫をした本棚が知られている。棚板に空気清浄器を取り付けた本棚であり、特開平１０−００７２０８号公報、特開２０００−０１４４６０号公報、特開２００１−９５６３２号公報、特開２００２−０８０１０６号公報に開示されている。これらは常時電力を必要とするものであり、非効率である。電力を使用しないで工夫がなされた本棚としては、一つは、前面をガラス窓とすることにより本への埃の蓄積を抑制した本棚であり、一般家庭で使用されている。しかし、これでは、気軽な気持ちで頻繁に本を取りだして読もうとする時に窓ガラスをいちいち開け閉めしなければならず、煩雑であり不便である。二つ目は、前面にカーテンを取りつけることにより本への埃の蓄積を抑制した本棚であり、一般家庭で使用されている。この本棚においても、水平方向の開け閉めの煩雑さは避けられない上に、中の本が見えにくく本の探索と取りだしの機能性が低下する。三つ目は、本発明者が以前に発明した埃付着シートを取りつけた本棚であり、特開２００２−０７８５４４号公報に開示されている。本への埃の付着量は激減するものの、本棚前面にガラス窓のような遮蔽物を取りつけた場合の１００％近い付着量の低減は得られなかった。まとめると、従来技術では、埃付着を抑制するために本の探索や取りだしの機能性が犠牲にならざるをえず、満足しうるものではなかった。
【特許文献１】特開平１０−００７２０８号公報
【特許文献２】特開２０００−０１４４６０号公報
【特許文献３】特開２００１−９５６３２号公報
【特許文献４】特開２００２−０８０１０６号公報
【特許文献５】特開２００２−０７８５４４号公報
【発明の開示】
【発明が解決しようとする課題】
【０００３】  本発明の課題は、本の探索や取りだしの機能を低下させず、かつ特別な作業を必要としないで本に埃がつきにくくなる本棚を新しく構築することにある。
【課題を解決するための手段】
【０００４】  本発明者は、上記問題を解決すべく鋭意検討を重ねた結果、本棚の前面にいくつにも縦に分割された透明シートからなるカバーを設けると、本の探索や出し入れの機能性が低下せずに、本に埃がつかなくなることを見出し、本発明を完成するに至った。第一に、シートが透明であるため、本棚の前面に何もない場合と同様に、取り出したい本をすぐに見つけることができる。第二に、シートに縦の隙間をいくつも入れると、どの水平位置にある本に対しても、その本に最も近い隙間から手を差し入れて本を容易につかむことができ、しかも、本が縦に細くなっているので、縦の隙間から本を容易に抜き取ることができることがわかった。しかも、本の出し入れの時間はほんのわずかであり、ほとんどの時間は本棚がシートにより閉じられているので、中の本に埃がつかなくなることがわかった。
【発明の効果】
【０００５】  本棚に収められている本は鉛直方向に細長い状態になっている。細長いシートを何枚も並べて、本棚の前にたらすと、シート同士の境界、即ち、切れ目は同じ鉛直線状となる（図１、２）。この切れ目の向きが、並んでいる本の向きにぴたりと合致するため、あたかも本棚の前に何も障害物がないかのごとく、その隙間から手で本を出し入れすることが極めて容易であるうえに、透明シートのため、本棚の中の本を簡単に見つけることができ、それでいて、本に埃がつかないよう、外の埃を含む空気から本が遮蔽された状態を実現できる。
【発明を実施するための最良の形態】
【０００６】  本発明における本棚用カバーの一つ目の特長は透明であることである。本発明におけるカバーの透明度は、本棚の中の本の輪郭がわかる程度またはそれ以上の透明度である。本の背表紙のタイトルを読み取ることができる程度に透明度の高いものがより好ましい。この場合、あたかもカバーが前面にないかの如く、本棚中の本が識別でき、本を簡単に選択できる。中の本の背表紙が確認できなくならない程度に、透明カバーに絵や模様が施されていてもよい。【０００７】  本発明における本棚用カバーの二つ目の特長は、手を差し入れたとき、縦方向に割れる切れ目があり、切れ目が１４ｃｍ以下の水平方向の間隔で繰り返されていることである。請求項１において、縦方向に割れるということは、鉛直方向から３５度以内にある方向に割れるということを表す。縦方向に割れる隙間によって縦方向に立っている細長い本を出し入れすることが容易になる。隙間が割れる方向は、厳密な鉛直方向から少し傾いていても、本の取り出しやすさに支障がない。その傾きは、１５度以内がより好ましく、０度が最も好ましい。切れ目の具体例を次に示す。鉛直方向に走る直線状の切れ目をまず挙げることができる。この切れ目に手を押し入れると、切れ目が鉛直方向を維持しながら割れる（図１）。鉛直方向から３０度傾いた方向に走る直線状の切れ目を挙げることができる。この切れ目に手を押し入れると、切れ目が鉛直方向から３０度傾いた方向を維持しながら割れる（図３）。鉛直方向の中心線を持つジグザグ形状の切れ目を挙げることができる（図４）。ジグザグを構成する各線分が鉛直方向を向いていないが、ジグザグの中央の線が鉛直方向にあるため、この切れ目に手を押し入れると、切れ目が鉛直方向に割れ、本の出し入れしやすさの効果が現れる（図４）。縦方向に割れる切れ目は直線状であってもなくてもよく、図５の如く、曲線状であってもよい。図５の切れ目に手を差し入れると、切れ目が縦方向に割れるので、縦方向に割れる曲線状の切れ目も本の取り出しやすさに効果を発揮する。請求項１において、切れ目が１４ｃｍ以下の水平方向の間隔で繰り返されているということは、切れ目が同じ形状を持っていてもいなくても良く、水平方向に隣り合う切れ目の間隔が同じであってもなくても良く、水平方向に隣り合う切れ目の間隔が１４ｃｍ以下である切れ目が水平方向に３個以上存在することを表す。１４ｃｍ以内の間隔で水平方向に切れ目が並んでいることにより、取り出したい本のすぐ近くの切れ目に手を押し入れて本を取り出すことが容易になる。本棚を小物入れ兼用で使用する場合は、本を置かないエリアを本棚の中に設置することもあるため、そのエリアの前面には切れ目がなくても良いため、本棚の左端から右端まで全て切れ目が並んでいなくても良い場合があるが、本棚としての最低限の機能の点から、カバーには、水平方向に隣り合う切れ目の間隔が１４ｃｍ以下である切れ目が水平方向に３個以上存在することが必要である。７個以上がより好ましく、１０個以上が更により好ましい。このような切れ目が本棚の左端から右端までの全てに入っているカバーが最も好ましい。水平方向に隣り合う切れ目の間隔は、１４ｃｍ以下であるが、本の出し入れのしやすさの点から、９��ｍ以下がより好ましく、５ｃｍ以下がそれ以上に好ましく、４ｃｍ以下が更により好ましい。１ｃｍ未満であってもその効果を発揮するが、その場合、本を本棚に戻すときに、本が切れ目の縁に少し引っかかりやすくなったり、多数回の本の出し入れにより、切れ目の縁が少し乱れて、埃防止効果が少し薄れたりする可能性がある。従って、１ｃｍ以上４ｃｍ以下が最も好ましい。水平方向に繰り返される切れ目が同じ形状を持っていてもいなくても良い例として、切れ目が水平方向に、直線→波型→ジグザグ型→波型→波型→直線→ジグザグ型→直線→波型の順に並んだカバーを挙げることができる。切れ目が本の通り道となるため、本棚中の本の底部からの高さで０ｃｍ乃至２５ｃｍの範囲、即ち、本を手で持つ範囲に少なくとも切れ目が入っており、その範囲内にある切れ目が少なくとも上記記載の切れ目の条件をもっていることが、本の取り出しやすさの点から、非常に好ましい。【０００８】  請求項２において、カバーの上端から下端までの間で少なくとも２個所で切れ目がないか、または、少なくとも２箇所で切れ目が結合された状態となっている具体例を次に挙げる。カバーの上端と下端は切れていないが、その間が縦に切れているカバーを挙げることができる（図２）。カバーの上端から下端まで全て切れ目が入っているが、上端と下端だけ切れ目が結合しているカバーを挙げることができる。カバーの上端から下端まで全て切れ目が入っているが、上端と下端だけ本棚の上枠と下枠に固定されているカバーを挙げることができる。カバーの上端と、上端から本棚の高さの２／３だけ下がった位置で切れていないが、それ以外の高さのところが全て縦に切れているカバーを挙げることができる。カバーの上端から下端まで全て切れ目が入っているが、上端と、上端から本棚の高さの２／３だけ下がった位置だけ切れ目が結合しているカバーを挙げることができる。カバーの上端から下端まで全て切れ目が入っているが、上端と、上端から本棚の高さの２／３だけ下がった位置だけ、本棚の上枠と、上枠より下にある枠に固定されているカバーを挙げることができる。即ち、カバーの上端から下端までの間において、切れ目により区別される各カバーが、２箇所もしくはそれ以上の箇所で何らかの形で結びついていることが請求項２の内容である。何らかの形で結びついている部位の例として、その部位にそもそも切れ目がない例（図２、５）、その部位が隣同士、紐で結ばれている例、その部位が隣同士、動きうる紐で橋渡しされている例（図８）等を挙げることができる。これにより、本の出し入れにより生じた切れ目の縦割れが、本の出し入れ終了後に、速やかに、自然と閉じられ、本棚の外の埃を本棚中の本から遮蔽する効果が顕著に現れる。切れ目が重なり合っていてもよい。即ち、切れ目によって区別される各カバーが重なり合っていても良い。本の出し入れのしやすさの点から、その重なりの巾は、４ｃｍ以下が好ましく、２ｃｍ以下がより好ましく、０．５ｃｍ以下が更により好ましく、０ｃｍが最も好ましい。本棚中の本の底部からの高さで０ｃｍより低いか、または、２５ｃｍより高い位置においては、切れ目の重なり幅が４ｃｍより大きくても大きな問題がない。本の取り出し易さに大きな悪影響を及ぼさないからである。
本の出し入れをしないときは、埃が外から入らないように、隙間がなるべく小さい方が好ましい。即ち、カバー同士の境界、即ち、切れ目がきちっと並んでいる方が好ましい。このための方法を次に示す。カバーがたまわないように、細長い各カバーの下部に型枠及び／又は重し（図６、８）を設けたり、各カバーに厚みを持たせたりする（図７）ことができる。これらにより、本の出し入れにより生じた切れ目の縦割れが、本の出し入れ終了後に、速やかに、自然と閉じられ、各カバーの左右の縁が整然とするため、隣同士のカバーの縁が互いに接触し、隙間がほとんどなくなり、本棚の外の埃を本棚中の本から遮蔽する効果が高くなる。本の出し入れのない時間に各カバー間の隙間がほとんど無くなるという点から、各カバーの左右の縁又は下部に磁石を取り付けることもできる。これらの中で、本の出し入れ操作により長い時間をかけて次第に各カバーの縁が曲がってくることが全くないという点から、細長い各カバーの下部をより重くする新しい方法が非常に好ましいことがわかった。カバー下部をより重くする方法においては、自重により鉛直方向の縁のよれを正す効果をあげるため、切れ目が下端までずっと伸びているのが望ましい。本の出し入れしやすさの点からも、カバー上端から１０ｃｍ下がった位置から下端まで切れているのが好ましく、カバー上端から５ｃｍ下がった位置から下端まで切れているのがより好ましく、カバー上端から３ｃｍ以内に下がった位置から下端まで切れているのが更により好ましい。前記記載の如く、切れ目は直線である必要がない。カバーの下部をより重くするための方法としては、下部領域で材質や厚みを変えるやり方もよいし、カバーの下部領域に特別な重しを取り付けるやり方もよい。カバーの上端から下端までの領域を高さにして１／３ずつ上、中、下と分けるとき、下の部位が、上、中の部位より平均して横幅１ｃｍあたり０．１ｇ以上重くなっていることにより、各カバーの鉛直方向の縁のよれを正す効果が発揮される。好ましくは、平均して横幅１ｃｍあたり０．１ｇ以上２００ｇ以下であり、より好ましくは、０．４ｇ以上６０ｇ以下であり、更により好ましくは、０．６ｇ以上３０ｇ以下である。カバーが硬いほど、重しの重さを大きくするのがよい。使いやすさの点から、重くする部位がカバー下端であることがより好ましい。カバー下端に取り付ける場合の重しとしては、どのようなものでもよいが、本棚のインテリアとしての機能を向上させるような美しいアクセサリーが好ましい。図６と図８に重しの良い例を挙げる。【０００９】  上記記載のカバーに紫外線吸収剤を添加することができる。カバーに対し紫外線吸収剤をシートの形で貼り付けてもよいし、溶け込ませてもよいし、粉状に分散させてもよい。紫外線吸収剤としては、ベンゾトリアゾール系、ベンゾフェノン系、ジフェニルアクリル酸系、サリチル酸系、高分子、酸化セリウム、酸化チタン等が例として挙げられる。カバーは主に高分子からできていることが比較的に好ましいので、紫外線吸収剤として有機系材料が比較的に好ましい。本発明において、紫外線吸収剤が添加された上記記載のカバーは、本棚中の本の確認や本の出し入れがしづらくなることなく、本棚中の本が日光により���第に色あせしまうことを防止することができるという、従来にない特徴を持つ。【００１０】  本発明におけるカバーの素材は、上記要件を満たすものであればどのような素材でもよいが、合成高分子や天然高分子が特に好ましい。ビニール、ナイロン、ポリエチレン、ポリエステル、ポリプロピレン、レーヨン、セロハン、ポリスチレン、セルロイド、絹糸、羊毛、布等が例として挙げられる。
【実施例】
【００１１】  以下に本発明の実施例を示すが、本発明はその要旨を超えない限り本実施例に限定されるものではない。
実施例１【００１２】  横幅３ｃｍごとに縦方向に切れており、３ｃｍごとに４．３ｇの重しを下端に付けた、透明高分子からなる、図６のタイプのカバーを高さ３０ｃｍ、奥行き２５ｃｍ、幅４８ｃｍの単段式本棚前面に設けた。カバーは本棚最上枠でのみ固定されている。カバーを設定してから３ヶ月後に、本棚中に左端から右端まで並べられていた本（高さ約２１．５ｃｍ、奥行き約１５．５ｃｍ）の上部と背表紙に付着した埃の相対量を測定した。測定の方法を次に示す。本に付着した埃を収集し、コピー機のコピーパネル上に重ならないように乗せ、その拡大コピーをとり、コピーした紙のうちで埃投影部分のみを切り取り、その重さを電子天秤で測定した。このようにして、その重さを直接測ることができない微少量の埃の相対量を測ることができた。
実施例２【００１３】  実施例１において、重しをカバー下端に付けなかったこと意外は全く同様に実験を行った。
比較例１【００１４】  実施例１において、カバーを設けなかったこと意外は全く同様に実験を行った。実施例１、実施例２の埃の量は、それぞれ、比較例１の埃の量の１／１５、２／１５であり、本発明のカバーを付けることにより本の上の埃が激減することが確認された。
実施例３【００１５】  実施例１において、１段あたりの高さ２８ｃｍ、奥行き２５ｃｍ、幅７５ｃｍの４段式本棚を使用したこと、及び、本棚中の４段目の本の上部と背表紙に付着した埃の相対量を測定したこと意外は全く同様に実験を行った。
実施例４【００１６】  実施例３において、重しをカバー下端に付けなかったこと意外は全く同様に実験を行った。
比較例２【００１７】  実施例３において、カバーを設けなかったこと意外は全く同様に実験を行った。実施例３、実施例４の埃の量は、それぞれ、比較例２の埃の量の１／１２、４／１２であり、本発明のカバーを付けることにより本の上の埃が激減することが確認された。
【図面の簡単な説明】
【００１８】
【図１】    本発明の縦分割・透明カバー付き本棚における取り出し操作を示した図（斜め及び真上から見た図）である。
【図２】    本棚の前面に設けられる、上端と下端に切れ目のない縦分割・透明カバーを示した図（斜め及び真上から見た図）である。
【図３】    本棚前面に設けられる、鉛直線から３０度だけ傾いた切れ目を持つ透明カバーを示した図（斜めから見た図）である。
【図４】    本棚前面に設けられる、ジグザグ状の切れ目を持つ透明カバーを示した図（斜めから見た図）である。
【図５】    本棚前面に設けられる、非直線状の切れ目を持つ透明カバーを示した正面図である。
【図６】    本棚前面に設けられる、下部に重しの付いた縦分割・透明カバーを示した正面図である。
【図７】    本棚前面に設けられる、厚型縦分割・透明カバーを示した図（真上から見た断面図）である。
【図８】    本棚前面に設けられる、隣り合うカバーの下端が、下端の縁に設けられた穴を介して、重しのぶら下がった紐により結び付けられるタイプの縦分割・透明カバーを示した正面図である。
【符号の説明】
【００１９】    １．縦分割の透明カバー
２．本棚中の本
３．本を取ろうとする手
４．鉛直方向に割れる切れ目
５．本棚
６．切れ目のない上端と下端
７．鉛直方向から３０度傾いた切れ目
８．鉛直方向から３０度傾いて割れる切れ目
９．中心を貫く線が鉛直方向となっているジグザグ状切れ目
１０．曲線の切れ目
１１．重し
１２．厚型の縦分割透明カバー
１３．各カバーの縁にある穴に通した紐
【図１】
2006231062.tif 000003
【図２】
2006231062.tif 000004
【図３】
2006231062.tif 000005
【図４】
2006231062.tif 000006
【図５】
2006231062.tif 000007
【図６】
2006231062.tif 000008
【図７】
2006231062.tif 000009
【図８】
2006231062.tif 000010